【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
メモリおよびコントローラを有するコンピュータであって、前記コントローラは、
サーバに提供される仮想ボリュームを管理し、
複数のストレージシステムから提供される複数の論理ボリュームを管理し、
前記仮想ボリュームに必要な条件を管理し、該条件は前記仮想ボリュームに送られるデータの保管される位置に関するものであり、
前記複数の論理ボリュームの各々の位置情報を管理し、各論理ボリュームの位置情報は前記論理ボリュームの位置に基づいて規定され、
前記仮想ボリュームの条件および複数の論理ボリュームの位置情報に基づいて、前記仮想ボリュームを前記複数の論理ボリュームのうちの一つの論理ボリュームにマッピングするよう制御される
ことを特徴とするコンピュータ。
【請求項２】
前記条件は、前記仮想ボリュームに送られるべきデータの位置する場所が、仮想ボリュームの提供されるサーバの位置する場所と同じであることを要求し、
前記仮想ボリュームに送られるべきデータの格納される位置が、前記仮想ボリュームにマッピングされた論理ボリュームの位置である
ことを特徴とする、請求項１に記載のコンピュータ。
【請求項３】
前記仮想ボリュームは正論理ボリュームにマッピングされ、正論理ボリュームは副論理ボリュームにマッピングされ、前記正論理ボリュームと前記副論理ボリュームはリモートコピーペアを構成し、異なる位置にマッピングされる
ことを特徴とする、請求項１に記載のコンピュータ。
【請求項４】
前記コントローラは、前記各論理ボリュームの位置情報と、前記副論理ボリュームに要求される条件と、前記複数の論理ボリュームの位置する場所の間の距離に関する距離情報とに基づいて、自動的に正論理ボリュームを副論理ボリュームにマッピングするよう制御し、前記副論理ボリュームに要求される条件は、少なくとも空き容量か、正論理ボリュームとの接続性のうちの一つを含む
ことを特徴とする、請求項３に記載のコンピュータ。
【請求項５】
前記コントローラは、自動的に正論理ボリュームのジャーナルを格納するための正ジャーナルボリュームと副ジャーナルボリュームを作成し、前記正ジャーナルボリュームから前記副ジャーナルボリュームへジャーナルをコピーし、前記副ジャーナルボリュームから前記副論理ボリュームへジャーナルをコピーするよう制御することにより、非同期リモートコピーを達成する
ことを特徴とする、請求項４に記載のコンピュータ。
【請求項６】
前記正論理ボリュームは前記副論理ボリュームおよび第三の論理ボリュームにマッピングされ、前記正論理ボリューム、前記副論理ボリュームおよび第三の論理ボリュームはリモートコピーの関係にあり、三つの異なる位置にマッピングされ、
前記コントローラは、前記各論理ボリュームの位置情報と、前記副論理ボリュームに要求される条件と、前記第三の論理ボリュームに要求される条件と、前記複数の論理ボリュームの位置する場所の間の距離に関する距離情報に基づいて、自動的に前記正論理ボリュームを前記副論理ボリュームおよび前記第三の論理ボリュームにマッピングするよう制御され、前記副論理ボリュームに要求される条件は、少なくとも空き容量か、正論理ボリュームとの接続性のうちの一つを含み、前記第三の論理ボリュームに要求される条件は、少なくとも空き容量か、リモートコピーがカスケードリモートコピーの場合は副論理ボリュームとの接続性、およびリモートコピーがカスケードリモートコピーではない場合は正論理ボリュームとの接続性のうちの一つを含む
ことを特徴とする、請求項３に記載のコンピュータ。
【請求項７】
前記コントローラは、前記正論理ボリュームとの間のＩ／Ｏ（入力／出力）障害の際に、前記サーバと前記正論理ボリューム間のＩ／Ｏパスから前記サーバと前記副論理ボリューム間の別のＩ／Ｏパスに自動的にＩ／Ｏを変更し、
前記副論理ボリュームの状態を、Ｉ／Ｏ受け取り不能状態からＩ／Ｏ受け取り可能状態へ変更するよう制御する
ことを特徴とする、請求項３に記載のコンピュータ。
【請求項８】
前記コントローラは、前記正論理ボリュームとの間のＩ／Ｏ（入力／出力）障害の際に、自動的に前記サーバからのデータを使用するアプリケーションを実行するためのバーチャルマシンを移行先サーバに移行し、前記サーバと前記正論理ボリューム間のＩ／Ｏパスから前記サーバと前記副論理ボリューム間の別のＩ／Ｏパスに自動的にＩ／Ｏを変更し、
前記副論理ボリュームの状態が、Ｉ／Ｏ受け取り不能状態からＩ／Ｏ受け取り可能状態へ変更される
ことを特徴とする、請求項３に記載のコンピュータ。
【請求項９】
前記コントローラは、前記正論理ボリュームとの間のＩ／Ｏ（入力／出力）障害の際に、前記各論理ボリュームの位置情報と、自動回復副論理ボリュームに要求される条件と、前記複数の論理ボリュームの位置する場所の間の距離に関する距離情報に基づいて、自動回復リモートコピーペアとして、自動的に前記副論理ボリュームを自動回復副論理ボリュームへマッピングし、前記自動回復副論理ボリュームに要求される条件は、少なくとも空き容量か、前記副論理ボリュームとの接続性のうちの一つを含む
ことを特徴とする、請求項３に記載のコンピュータ。
【請求項１０】
前記仮想ボリュームは一つ以上の正論理ボリュームを有する正コンシステンシグループの中の一つの正論理ボリュームにマッピングされ、前記正コンシステンシグループは一つ以上の副論理ボリュームを有する副コンシステンシグループにマッピングされ、前記正コンシステンシグループと前記副コンシステンシグループは一つ以上のリモートコピーペアを提供し、異なる位置にマッピングされ、
前記コントローラは、前記各論理ボリュームの位置情報と、前記副論理ボリュームに要求される条件と、前記複数の論理ボリュームの位置する場所の間の距離に関する距離情報に基づいて、前記正コンシステンシグループの正論理ボリュームを前記副コンシステンシグループの副論理ボリュームに自動的にマッピングし、前記副論理ボリュームに要求される条件は、少なくとも空き容量か、前記正論理ボリュームとの接続性のうちの一つを含むことを特徴とする、請求項１に記載のコンピュータ。
【請求項１１】
コンピュータおよび複数のストレージシステムを有するシステムであって、前記コンピュータはメモリおよびコントローラを有し、前記コントローラは、
サーバに提供される仮想ボリュームを管理し、
前記複数のストレージシステムから提供される複数の論理ボリュームを管理し、
前記仮想ボリュームに必要な条件を管理し、該条件は前記仮想ボリュームに送られるデータの保管される位置に関するものであり、
前記複数の論理ボリュームの各々の位置情報を管理し、各論理ボリュームの位置情報は前記論理ボリュームの位置に基づいて規定され、
前記仮想ボリュームの条件および複数の論理ボリュームの位置情報に基づいて、前記仮想ボリュームを前記複数の論理ボリュームのうちの一つの論理ボリュームにマッピングするよう制御される
ことを特徴とするシステム。
【請求項１２】
前記条件は、前記仮想ボリュームに送られるべきデータの位置する場所が、仮想ボリュームの提供されるサーバの位置する場所と同じであることを要求し、
前記仮想ボリュームに送られるべきデータの格納される位置が、前記仮想ボリュームにマッピングされた論理ボリュームの位置である
ことを特徴とする、請求項１１に記載のシステム。
【請求項１３】
前記仮想ボリュームは正論理ボリュームにマッピングされ、正論理ボリュームは副論理ボリュームにマッピングされ、前記正論理ボリュームと前記副論理ボリュームはリモートコピーペアを構成し、異なる位置にマッピングされ、
前記コントローラは、前記各論理ボリュームの位置情報と、前記副論理ボリュームに要求される条件と、前記複数の論理ボリュームの位置する場所の間の距離に関する距離情報とに基づいて、自動的に正論理ボリュームを副論理ボリュームにマッピングするよう制御し、前記副論理ボリュームに要求される条件は、少なくとも空き容量か、正論理ボリュームとの接続性のうちの一つを含む
ことを特徴とする、請求項１１に記載のシステム。
【請求項１４】
前記仮想ボリュームは正論理ボリュームにマッピングされ、正論理ボリュームは副論理ボリュームにマッピングされ、前記正論理ボリュームと前記副論理ボリュームはリモートコピーペアを構成し、異なる位置にマッピングされ、
前記コントローラは、前記正論理ボリュームとの間のＩ／Ｏ（入力／出力）障害の際に、自動的に前記サーバからのデータを使用するアプリケーションを実行するためのバーチャルマシンを移行先サーバに移行し、前記サーバと前記正論理ボリューム間のＩ／Ｏパスから前記移行先サーバと前記副論理ボリューム間の別のＩ／Ｏパスに自動的にＩ／Ｏを変更し、
前記副論理ボリュームを提供するストレージシステムは、前記副論理ボリュームの状態を、Ｉ／Ｏ受け取り不能状態からＩ／Ｏ受け取り可能状態へ変更するよう構成される
ことを特徴とする、請求項１１に記載のシステム。
【請求項１５】
データストレージを管理するようデータプロセッサを制御するための複数の指示を格納するコンピュータで読み取り可能なストレージ媒体であって、前記複数の指示は、
データプロセッサに対し、サーバに提供される仮想ボリュームを管理させる指示と、
データプロセッサに対し、複数のストレージシステムから提供される複数の論理ボリュームを管理させる指示と、
データプロセッサに対し、前記仮想ボリュームに必要な条件を管理させる指示と、ここで該条件は前記仮想ボリュームに送られるデータの保管される位置に関するものであり、
データプロセッサに対し、前記複数の論理ボリュームの各々の位置情報を管理させる指示と、ここで各論理ボリュームの位置情報は前記論理ボリュームの位置に基づいて規定され、
データプロセッサに対し、前記仮想ボリュームの条件および複数の論理ボリュームの位置情報に基づいて、前記仮想ボリュームを前記複数の論理ボリュームのうちの一つの論理ボリュームにマッピングするよう制御する指示と
を有することを特徴とする、コンピュータ読み取り可能なストレージ媒体。
【請求項１６】
前記条件は、前記仮想ボリュームに送られるべきデータの位置する場所が、仮想ボリュームの提供されるサーバの位置する場所と同じであることを要求し、
前記仮想ボリュームに送られるべきデータの格納される位置が、前記仮想ボリュームにマッピングされた論理ボリュームの位置である
ことを特徴とする、請求項１５に記載のコンピュータ読み取り可能なストレージ媒体。
【請求項１７】
前記複数の指示はさらに、
前記データプロセッサに対し、前記仮想ボリュームを正論理ボリュームにマッピングし、正論理ボリュームを副論理ボリュームにマッピングし、前記正論理ボリュームと前記副論理ボリュームでリモートコピーペアを構成し、異なる位置にマッピングさせる指示と、
前記データプロセッサに対し、前記各論理ボリュームの位置情報と、前記副論理ボリュームに要求される条件と、前記複数の論理ボリュームの位置する場所の間の距離に関する距離情報とに基づいて、自動的に正論理ボリュームを副論理ボリュームにマッピングするよう制御させる指示と、ここで前記副論理ボリュームに要求される条件は、少なくとも空き容量か、正論理ボリュームとの接続性のうちの一つを含む
ことを特徴とする、請求項１５に記載のコンピュータ読み取り可能なストレージ媒体。
【請求項１８】
前記複数の指示はさらに、
前記データプロセッサに対し、正論理ボリュームを副論理ボリュームおよび第三の論理ボリュームにマッピングさせる指示と、ここで正論理ボリューム、副論理ボリュームおよび第三の論理ボリュームはリモートコピーの関係にあり、三つの異なる位置にマッピングされ、
前記データプロセッサに対し、前記各論理ボリュームの位置情報と、前記副論理ボリュームに要求される条件と、前記第三の論理ボリュームに要求される条件と、前記複数の論理ボリュームの位置する場所の間の距離に関する距離情報に基づいて、自動的に前記正論理ボリュームを前記副論理ボリュームおよび前記第三の論理ボリュームにマッピングさせる指示と、ここで前記副論理ボリュームに要求される条件は、少なくとも空き容量か、正論理ボリュームとの接続性のうちの一つを含み、前記第三の論理ボリュームに要求される条件は、少なくとも空き容量か、リモートコピーがカスケードリモートコピーの場合は副論理ボリュームとの接続性、およびリモートコピーがカスケードリモートコピーではない場合は正論理ボリュームとの接続性のうちの一つを含む
ことを特徴とする、請求項１５に記載のコンピュータ読み取り可能なストレージ媒体。
【請求項１９】
前記複数の指示はさらに、
前記データプロセッサに対し、前記仮想ボリュームを正論理ボリュームにマッピングし、正論理ボリュームを副論理ボリュームにマッピングし、前記正論理ボリュームと前記副論理ボリュームでリモートコピーペアを構成させ、異なる位置にマッピングさせる指示と、
前記データプロセッサに対し、前記正論理ボリュームとの間のＩ／Ｏ（入力／出力）障害の際に、自動的に前記サーバからのデータを使用するアプリケーションを実行するためのバーチャルマシンを移行先サーバに移行し、前記サーバと前記正論理ボリューム間のＩ／Ｏパスから前記移行先サーバと前記副論理ボリューム間の別のＩ／Ｏパスに自動的にＩ／Ｏを変更させる指示とを含む
ことを特徴とする、請求項１５に記載のコンピュータ読み取り可能なストレージ媒体。
【請求項２０】
前記複数の指示はさらに、
前記データプロセッサに対し、前記仮想ボリュームを正論理ボリュームにマッピングし、正論理ボリュームを副論理ボリュームにマッピングし、前記正論理ボリュームと前記副論理ボリュームでリモートコピーペアを構成し、異なる位置にマッピングさせる指示と、
前記データプロセッサに対し、前記正論理ボリュームとの間のＩ／Ｏ（入力／出力）障害の際に、前記各論理ボリュームの位置情報と、自動回復副論理ボリュームに要求される条件と、前記複数の論理ボリュームの位置する場所の間の距離に関する距離情報に基づいて、自動回復リモートコピーペアとして、自動的に前記副論理ボリュームを自動回復副論理ボリュームへマッピングさせる指示と、ここで前記自動回復副論理ボリュームに要求される条件は、少なくとも空き容量か、前記副論理ボリュームとの接続性のうちの一つを含む
ことを有することを特徴とする、請求項１５に記載のコンピュータ読み取り可能なストレージ媒体。